(57)【要約】【課題】左右のウェストバンド部を着用者の腹側において止着して装着するタイプの展開型の使い捨ておむつであり、寝位及び立位での装着性に優れており、しかも吸収性能及び漏れ防止性能に優れた使い捨ておむつを提供すること。【解決手段】おむつ長手方向の両側に立体ギャザーが形成されており、股下部における前記吸収体が配されている領域に、おむつ幅方向の曲げ剛性が２５ｃＮ／５０ｍｍ以下の領域を有しており、前記立体ギャザーは１００％以上の伸張率で配されており、該立体ギャザーをおむつ非固定状態で伸張させたとき、おむつ配設状態における伸長率（％）から３０％減じた伸長率として定義される実効伸張率における引張荷重が２０〜１２０ｃＮであり、伸長率が２０％から該実効伸長率までの間の引張荷重増加率が１．０（ｃＮ／％）以下である。【選択図】    図１
2004283263.tif 000002
【特許請求の範囲】
【請求項１】
使用時に着用者の背中側に位置する背側部、腹側に位置する腹側部、及び該背側部と該腹側部との間に位置する股下部を有しており、前記背側部の両側縁部に、それぞれウエストバンド部が連設されており、左右の該ウエストバンド部の少なくとも何れか一方における先端部にバンド止着部が設けられており、該バンド止着部により、左右の該ウエストバンド部を着用者の腹側において止着することができるようになしてある展開型の使い捨ておむつであって、
おむつ長手方向の両側に立体ギャザーが形成されており、
前記股下部における前記吸収体が配されている領域に、おむつ幅方向の曲げ剛性が２５ｃＮ／５０ｍｍ以下の領域を有しており、
前記立体ギャザーは１００％以上の伸張率で配されており、該立体ギャザーをおむつ非固定状態で伸張させたとき、おむつ配設状態における伸長率（％）から３０％減じた伸長率として定義される実効伸張率における引張荷重が２０〜１２０ｃＮであり、伸長率が２０％から該実効伸長率までの間の引張荷重増加率が１．０（ｃＮ／％）以下である使い捨ておむつ。
【請求項２】
前記股下部における前記吸収体が配されている領域に、おむつ幅方向の幅が５０ｍｍ以上で且つおむつ幅方向の曲げ剛性が２５ｃＮ／５０ｍｍ超の領域を有している請求項１記載の使い捨ておむつ。
【請求項３】
前記おむつ幅方向の曲げ剛性が２５ｃＮ／５０ｍｍ以下の領域は、前記吸収体が配されている領域における、おむつ長手方向の両側部に、それぞれ長手方向に延びるように形成されている請求項１又は２記載の使い捨ておむつ。
【請求項４】
前記おむつは幼児用であって、前記股下部の最小幅が１００〜２４０ｍｍである請求項１〜３の何れか記載の使い捨ておむつ。
【請求項５】
前記おむつは成人用であって、前記股下部の最小幅が１５０〜３００ｍｍである請求項１〜３の何れか記載の使い捨ておむつ。
【請求項６】
使用時に着用者の背中側に位置する背側部、腹側に位置する腹側部、及び該背側部と該腹側部との間に位置する股下部を有しており、前記背側部の両側縁部に、それぞれウエストバンド部が連設されており、左右の該ウエストバンド部の少なくとも何れか一方における先端部にバンド止着部が設けられており、該バンド止着部により、左右の該ウエストバンド部を着用者の腹側において止着することができるようになしてある展開型の使い捨ておむつであって、おむつ長手方向の両側に、一対の立体ギャザー及び一対のレッグギャザーが、各々弾性部材を配設することによって形成されており、
前記股下部の最小幅が１００〜２４０ｍｍであり、
前記股下部の最小幅部分において、一対の前記立体ギャザーの固定端同士間の距離Ｗ１と、一対の前記レッグギャザーの最外側に位置する弾性部材同士間の距離Ｗ２との比（Ｗ１／Ｗ２）が０．６７〜０．８１であり、且つ、各立体ギャザーの前記固定端から前記各レッグギャザーの最外側に位置する弾性部材までの距離Ｗ３が、該各立体ギャザーの高さＷ４よりも短く、
前記立体ギャザーは１００％以上の伸張率で配されており、該立体ギャザーをおむつ非固定状態で伸張させたとき、おむつ配設状態における伸長率（％）から３０％減じた伸長率として定義される実効伸張率における引張荷重が２０〜１２０ｃＮであり、伸長率が２０％から前記実効伸長率までの間の引張荷重増加率が１．０（ｃＮ／％）以下である使い捨ておむつ。
【請求項７】
おむつ長手方向の５０ｍｍ以上の長さに亘って前記比（Ｗ１／Ｗ２）が０．６７〜０．８１の範囲内である請求項５記載の使い捨ておむつ。
【請求項８】
おむつ長手方向の５０ｍｍ以上の長さに亘って、前記距離Ｗ３が前記高さＷ４よりも短い請求項５又は６記載の使い捨ておむつ。
【発明の詳細な説明】
【０００１】
【発明の属する技術分野】
本発明は、寝位及び立位での装着性に優れており、しかも吸収性能及び漏れ防止性能に優れた使い捨ておむつに関する。
【０００２】
【従来の技術及び発明が解決しようとする課題】
従来、展開型の使い捨ておむつとして、液透過性の表面シート、液不透過性の裏面シート、及びこれら両シート間に介在する液保持性の吸収体を有し、使用時に着用者の腹側に位置する腹側部及び背中側に位置する背側部が形成されているおむつが広く用いられており、展開型の使い捨ておむつの中でも大人が立ったまま装着可能なものとして、背側部の両側縁部にそれぞれウエストバンド部が連設されており、左右の該ウエストバンド部の少なくとも何れか一方における先端部にバンド止着部が設けられており、腹側部の両側部におむつ止着部が設けられており、前記バンド止着部により、左右の該ウエストバンド部を着用者の腹側において止着し、前記おむつ止着部により、前記他方の部位を左右の前記ウエストバンド部に止着して着用するようになしてあるものが知られている（特許文献１，特許文献２参照）。
【０００３】
しかし、ウエストバンド部を有する従来の使い捨ておむつは、立った状態で装着可能ではあるが、着用者が自ら装着しようとする場合には、特にウエストバンド部の止着後に腹側部を腹側に引き出すことが容易ではなく、装着が容易ではないという問題があった。装着性を向上させるためには、着用者の股下に配される部分の幅を狭くすることも考えられるが、おむつ本来の吸収性能や漏れ防止性能を悪化させることなく、股下部の幅を狭くすることは困難である。
【０００４】
特に、おむつ長手方向の両側に、一対の立体ギャザー及び一対のレッグギャザーが形成されている展開型の使い捨ておむつにおいては、おむつ股下部の幅を狭くするべく、立体ギャザー同士間の間隔を狭めた場合には必要な吸収性能が得られず、立体ギャザー間の幅を維持したまま股間幅を狭くすると立体ギャザーとレッグギャザーとの間のポケットがなくなるので、立体ギャザーを越えた排泄物が漏れ出し易くなる。
【０００５】
【特許文献１】
特開平５−１８４６２３号公報
【特許文献２】
特開平９−２９０００２号公報
【０００６】
従って、本発明の目的は、左右のウェストバンド部を着用者の腹側又は背側において止着して装着するタイプの展開型の使い捨ておむつであって、寝位及び立位での装着性に優れており、しかも吸収性能及び漏れ防止性能に優れた使い捨ておむつを提供することにある。
【０００７】
【課題を解決するための手段】
本発明は、使用時に着用者の背中側に位置する背側部、腹側に位置する腹側部、及び該背側部と該腹側部との間に位置する股下部を有しており、前記背側部の両側縁部に、それぞれウエストバンド部が連設されており、左右の該ウエストバンド部の少なくとも何れか一方における先端部にバンド止着部が設けられており、該バンド止着部により、左右の該ウエストバンド部を着用者の腹側において止着することができるようになしてある展開型の使い捨ておむつであって、
おむつ長手方向の両側に立体ギャザーが形成されており、
前記股下部における前記吸収体が配されている領域に、おむつ幅方向の曲げ剛性が２５ｃＮ／５０ｍｍ以下の領域を有しており、
前記立体ギャザーは１００％以上の伸張率で配されており、該立体ギャザーをおむつ非固定状態で伸張させたとき、おむつ配設状態における伸長率（％）から３０％減じた伸長率として定義される実効伸張率における引張荷重が２０〜１２０ｃＮであり、伸長率が２０％から該実効伸長率までの間の引張荷重増加率が１．０（ｃＮ／％）以下である使い捨ておむつを提供することにより、前記目的を達成したものである（以下、第１発明という場合は、この発明をいう）。
【０００８】
本発明は、使用時に着用者の背中側に位置する背側部、腹側に位置する腹側部、及び該背側部と該腹側部との間に位置する股下部を有しており、前記背側部の両側縁部に、それぞれウエストバンド部が連設されており、左右の該ウエストバンド部の少なくとも何れか一方における先端部にバンド止着部が設けられており、該バンド止着部により、左右の該ウエストバンド部を着用者の腹側において止着することができるようになしてある展開型の使い捨ておむつであって、
おむつ長手方向の両側に、一対の立体ギャザー及び一対のレッグギャザーが、各々弾性部材を配設することによって形成されており、
前記股下部の最小幅が１００〜２４０ｍｍであり、
前記股下部の最小幅部分において、一対の前記立体ギャザーの固定端同士間の距離Ｗ１と、一対の前記レッグギャザーの最外側に位置する弾性部材同士間の距離Ｗ２との比（Ｗ１／Ｗ２）が０．６７〜０．８１であり、且つ、各立体ギャザーの前記固定端から前記各レッグギャザーの最外側に位置する弾性部材までの距離Ｗ３が、該各立体ギャザーの高さＷ４よりも短く、
前記立体ギャザーは１００％以上の伸張率で配されており、該立体ギャザーをおむつ非固定状態で伸張させたとき、おむつ配設状態における伸長率（％）から３０％減じた伸長率として定義される実効伸張率における引張荷重が２０〜１２０ｃＮであり、伸長率が２０％から前記実効伸長率までの間の引張荷重増加率が１．０（ｃＮ／％）以下である使い捨ておむつを提供することにより、前記目的を達成したものである（以下、第２発明という場合は、この発明をいう）。
【０００９】
【発明の実施の形態】
以下、本発明をその好ましい実施形態に基づき図面を参照しながら説明する。第１及び第２発明の一実施形態としての使い捨ておむつ１は、立ったままでも装着することができるウエストバンドタイプのおむつであり、図１及び図２に示されるように、液透過性の表面シート２、液不透過性の裏面シート３、及びこれら両シート２，３間に介在する液保持性の吸収体４を有しており、実質的に縦長に形成されている。使い捨ておむつ１は、使用時に着用者の背中側に位置する背側部Ａ、腹側に位置する腹側部Ｂ、及び該背側部と該腹側部との間に位置する股下部Ｃを有している。股下部Ｃは、着用時に着用者（被装着者）の股下部（股間部）に配される部位であり、概ね、おむつの長手方向を３等分したときの中央領域である。
【００１０】
吸収体４は、表面シート２及び裏面シート３により挟持・固定されており、吸収体４の周縁部におけるウエスト部５には、おむつ着用者に該ウエスト部５をフィットさせるためのウエスト部弾性部材５１が設けられている。
【００１１】
背側部Ａの左右両側縁９，９には、それぞれウェストバンド部１０，１０が連設されており、左右の該ウェストバンド部１０，１０の少なくとも何れか一方における先端部には、バンド止着部１１が設けられており、該バンド止着部１１により、図４及び図５に示されるように、左右の該ウェストバンド部１０ａ，１０ｂを着用者の腹側において止着することができるようになしてある。
【００１２】
また、腹側部Ｂの表面シート２側における両側部には、連結した状態のウエストバンド部１０（図４参照）に腹側部Ｂを止着させるためのおむつ止着部２０，２０が設けられている。ウエストバンド部１０は、その基端１２からその先端１３に向かって、その幅が漸次減少する略帯状の形状を有している。ウエストバンド部１０の基端１２側には、おむつ幅方向に伸縮する弾性伸縮部１４が形成されている。弾性伸縮部１４は、エラストマー材料からなる弾性シートの片面又は両面に、おむつ幅方向に伸張可能な繊維集合体を積層して一体化してなる積層シートからなり、ウエストバンド部１０の全体にわたっていても良い。
このような構成は、従来の使い捨ておむつと同様であり、各部材も公知の材料を特に制限なく用いて形成することができる。
【００１３】
尚、バンド止着部１１及びおむつ止着部２０，２０は、その表面に多数の錨形や鉤形のオス型係合部材が配された機械的ファスナーの凸部材により形成されていることが好ましく、機械的ファスナーの凸部材としては、例えば「マジックテープ（登録商標）」（クラレ社製）、「クイックロン（登録商標）」（ＹＫＫ社製）、「マジクロス（登録商標）」（カネボウベルタッチ社製）等の市販品を用いることができる。本実施形態におけるウエストバンド部１０の少なくとも裏面シート側の面は不織布からなり、機械的ファスナーの凸部材を直接係合可能である。
【００１４】
本使い捨ておむつ１における長手方向の両側には、一対の立体ギャザー６，６及び一対のレッグギャザー７，７が、各々弾性部材を配設することによって形成されている。
より詳細には、一対の立体ギャザー６は、図２に示すように、それぞれ、弾性部材６１を有する立体ギャザー形成用のシート材６２を、表面シート２の両側縁の外方から内方に亘るように配設して形成されている。各シート材６２は、ヒートシール、接着剤等の公知の接合手段により、おむつ長手方向に亘って直線状に表面シート２上に固定されており、その直線状の固定部により立体ギャザー６の固定端６４が形成されている。各シート材６２は、前記固定端６４よりも幅方向外方に位置する部分が表面シート２又は裏面シート３上に固定されており、また、おむつの長手方向両端部における該固定端６４よりもおむつ幅方向中央側に位置する部分が表面シート２上に固定されている。各立体ギャザー６に配設された弾性部材６１は、それぞれ糸状の形態を有し、各立体ギャザー６の自由端６３と略平行に配されている。
【００１５】
一対のレッグギャザー７は、おむつ股下部Ｃの幅方向における、立体ギャザー６，６の固定端６４の位置よりも更に外側に、複数本のレッグ部弾性部材７１，７１を、略直線状に配設して形成されている。前記弾性部材６１及び前記レッグ部弾性部材７１は、何れも使い捨ておむつ１の長手方向に沿って配設されている。
【００１６】
本実施形態のおむつ１は、股下部Ｃにおける吸収体４が配されている領域に、おむつ幅方向の曲げ剛性が２５ｃＮ／５０ｍｍ以下の領域Ｒ１，Ｒ１を有している。
より具体的には、股下部Ｃにおける吸収体４が配されている領域は、その一部（図３中、斜線を付した部分）Ｒ１，Ｒ１が該領域の他の部位Ｒ２よりも低剛性（柔軟）になされており、その低剛性（柔軟）な部位（以下、低剛性領域ともいう）Ｒ１，Ｒ１は、おむつ幅方向の曲げ剛性が２５ｃＮ／５０ｍｍ以下である。ここで、股下部Ｃにおける、吸収体４が配されている領域（以下、吸収体配設領域ともいう）とは、使い捨ておむつ１を、図１に示すように平面状に拡げた状態（緊張状態）において平面視（俯瞰視）したときに、厚み方向の内部（上下面間）に吸収体４が存在する領域である。
本実施形態における低剛性領域Ｒ１，Ｒ１は、図３に示すように、吸収体４が配されている領域における、おむつ長手方向の両側部に、それぞれ長手方向に延びるように形成されている。
【００１７】
低剛性領域Ｒ１の前記曲げ剛性の下限値は、吸収体配設領域が装着時に股間部で排泄物を捕集できる程度の幅及び空間を有すること及びそれらを維持しようとする最低限の復元力を発揮させる観点、また、着用者が自ら装着する場合に、ウエストバンド部止着（連結）後に、腹側部を股間部を通して着用者の腹側に引き出し易くし、更には腹側部を止着位置まで引き上げ易くする観点から３ｃＮ／５０ｍｍ、好ましくは５ｃＮ／５０ｍｍ程度である。装着容易性と装着後のフィット性及びモレ性能とを両立させる観点から、低剛性領域Ｒ１の前記曲げ剛性は３〜２５ｃＮ／５０ｍｍ、特に５〜２０ｃＮ／５０ｍｍであることが好ましい。上記配置を行うことで、腹側部を装着位置に止着させるときの取り扱い性が向上するため、先に連結した左右のウエストバンド部の位置をずらすことなく、装着したい当初の高さ位置におむつを固定可能である。
【００１８】
本実施形態のおむつ１は、前記吸収体配設領域に、おむつ幅方向の幅Ｗ１３（図３参照）が５０ｍｍ以上で且つおむつ幅方向の曲げ剛性が２５ｃＮ／５０ｍｍ超の領域（以下、高剛性領域ともいう）Ｒ２を有している。
高剛性領域Ｒ２の前記曲げ剛性は、装着容易性と装着時の形状保持性の観点から、上限は６０ｃＮ／５０ｍｍであることが好ましく、特に好ましい範囲は３０〜５０ｃＮ／５０ｍｍである。
【００１９】
立位での装着性を向上させる観点から、各低剛性領域Ｒ１の幅Ｗ１１（図３参照）は、吸収体配設領域の幅Ｗ１２（図３参照）の１５〜５０％であることが好ましく、左右の低剛性領域Ｒ１，Ｒ１の合計幅は、吸収体配設領域の幅Ｗ１２の３０〜１００％であることが好ましい。他方、左右の低剛性領域Ｒ１，Ｒ１同士間に存在する高剛性領域Ｒ２の幅Ｗ１３（図３参照）は前記幅Ｗ１２の０〜７０％であることが好ましい。また、前記幅Ｗ１２は、股間部の吸収性能の確保、及び着用者が立位にて自ら装着する場合に、ウエストバンド部止着（連結）後に、腹側部を股間部を通して着用者の腹側に引き出し易くし、更には腹側部を止着位置まで引き上げ易くする観点から７０ｍｍ以上であることが好ましく、装着容易性及び装着後の被装着者の股間部へのフィット性の観点から１５０ｍｍ以下であることが好ましい。前記幅Ｗ１３は、狭い方が良く０〜８０ｍｍであることが好ましい。
【００２０】
ここで、低剛性領域Ｒ１及び高剛性領域Ｒ２それぞれの、おむつ幅方向の曲げ剛性は、以下のようにして測定される。
〔曲げ剛性の測定方法〕
測定にはテンシロン試験機〔（株）オリエンテック社製のＲＴＣ−１１５０Ａ〕を用い、ＪＩＳ規格Ｋ７１７１法（プラスチック−曲げ特性の試験方法）に準拠して測定を行う（Ｒ１＝５．０±０．１ｍｍ、Ｒ２＝５．０±０．２ｍｍ）。試験片をエッジスパン間Ｌを５０ｍｍとした支持台の両エッジ間に渡すように置き、試験片に僅かに接するように圧子先端部を配置する。ロードセル５ｋｇ（レンジ２００ｃＮ）、速度３０ｍｍ／ｍｉｎの条件で、圧子を降下させ、荷重−たわみ曲線を得る。得られた曲げ応力の最大値を曲げ剛性値（ｃＮ／５０ｍｍ）とする。
試験片はギャザーを除去したおむつから、測定に影響するような折り目、しわ等が含まれないように表面材から裏面材までの構成部材を含めておむつの長手方向５０ｍｍ、幅方向８０ｍｍの長方形の大きさに切り出す。曲げ剛性値の単位中の５０ｍｍは試験片の短辺の長さであり、試験時の圧子でたわませた試験片の幅である。試験片は、その長辺を、一方のエッジから他方にエッジに亘る方向に一致させて、両エッジ間に架け渡す。
【００２１】
試験片は、剛性を測定しようとする部位の幅が５０ｍｍ超の場合には、その幅の全体を切り出す。剛性を測定しようとする部位の幅が５０ｍｍ以下の場合には、その部位が含まれるように切り出し、両エッジ間に該部位の少なくとも一部が位置するように置く。
例えば、吸収体配設領域のおむつ幅方向の両端部に他の部位より低剛性の幅５０ｍｍ以下の領域がある場合、測定片は、その低剛性の領域を長手方向の一端部に含むように切り出し、その低剛性の領域の一端が一方のエッジ上に位置し、他端がエッジ間に位置するようにセットする。この場合、前記圧子は、エッジ間の中央部において、その低剛性領域以外の部位を押圧することになる場合もあるが、得られる荷重の最大値は、主として低剛性の領域の剛性に依存するため、そのようにして得られた荷重の最大値を、その低剛性の領域の曲げ剛性値（ｃＮ／５０ｍｍ）とする。
また、吸収体配設領域からおむつ幅方向の幅が５０ｍｍ超の試験片を切り出し、該試験片について上述のようにして求めた荷重の最大値が２５ｃＮ／５０ｍｍ超である場合には、吸収体配設領域に、おむつ幅方向の幅Ｗ１３（図３参照）が５０ｍｍ以上で且つおむつ幅方向の曲げ剛性が２５ｃＮ／５０ｍｍ超の領域がある。
【００２２】
本実施形態における低剛性領域Ｒ１は、吸収体配設領域に配されている吸収体４の一部の構成を他の部位の構成と異ならせること、より具体的には、吸収体４の一部における坪量を他の部位における坪量よりも小さくすることにより形成されている。
【００２３】
吸収体の一部における坪量を他の部位における坪量よりも小さくする方法としては、例えば▲１▼上部吸収層及び下部吸収層からなる２層構造の吸収体の一部に、上部又は下層吸収層からなる１層構造の低坪量の部位を設ける方法、▲２▼繊維をネット上に吸引堆積させて所定形状の繊維集合体からなる吸収体を製造するに際し、その一部に堆積させる繊維量を他の部位に堆積させる繊維量よりも少なくする方法、▲３▼多層積層吸収層で一層もしくは数層が配されていない部位を設ける方法、▲４▼多構成物の積層吸収層で１つもしくは数種類の構成物が配されていない部位を設ける方法等が挙げられる。
これらの方法の中でも、上記▲１▼の方法が上部吸収層及び下部吸収層を各々独立して構成でき、吸収性能や坪量を任意に比較的容易に設定できる点から好ましい。
【００２４】
本実施形態のおむつ１における立体ギャザー６は、低モジュラスのものを高伸張率で配してある。
立体ギャザー６は、使い捨ておむつ１に１００％以上の伸張率、好ましくは１００〜３００％の伸張率、特に好ましくは１３０〜２００％の伸張率で配設されている。
おむつ配設状態（おむつに配設されている状態）の立体ギャザー６の伸張率が１００％未満であると、装着時に立体ギャザーの先端部の起立性が損なわれ、立位での装着時などで、立体ギャザーの先端部を股間部に誘導する際に、立体ギャザーが倒れてしまったり、被装着者の肌にあたり、折れ曲がったりし、正しく装着することが難しくなる。また、被装着者の姿勢が変化した場合、立体ギャザーの先端部と被装着者の肌との間に隙間が生じ排泄物が漏れる可能性が大きくなる。
前記伸張率が３００％超であると、おむつを展開する時の力が大きく展開しにくいおむつとなり、寝かせてあお向けで装着する場合などでは装着性が悪くなる。また、装着後のおむつの処理についてもおむつが丸まろうとする力が強いため操作性が悪くなる。また、立位での装着では、ウエストバンド部１０同士を止着する前におむつが丸まったりして装着が難しくなる場合がある。
【００２５】
おむつ配設状態における立体ギャザー６の伸張率は以下のようにして測定される。
〔おむつ配設状態の伸長率〕
おむつ長手方向の中央部に位置する部分が含まれるようにおむつから立体ギャザー（固定端と自由端との間の帯状部分）を切り出し、最大に伸張させた時点（図１に示すおむつ配設状態における長さまで伸張させた時点）での、離間した２地点間の区間Ｈの長さをＨ、その後伸張を開放し、自然状態、即ち、切り出したギャザーが自然に縮んだ状態において測定した前記区間Ｈの長さｈとしたとき、下記式（１）で表される。
伸張率（％）＝（Ｈ―ｈ）／ｈ  ×１００                （１）
自然状態での長さｈは、平らな面を持つ板などの上で負荷をできるだけかけずにギャザーによる凹凸を最小限にして測定する。区間の前記長さＨとしては２００ｍｍ程度設けることが好ましい。
【００２６】
また、立体ギャザー６は、おむつ非固定状態（おむつに固定されていない状態、即ちおむつから立体ギャザーを切り出した状態をいう）で伸張させたとき、おむつ配設状態における伸張率（％）から３０％減じた伸張率（おむつ配設状態伸長率−３０％）で定義される実効伸長率における引張荷重が２０〜１２０ｃＮ、好ましくは５０ｃＮ〜１００ｃＮであり、伸張率が２０％から前記実効伸張率までの間の引張荷重増加率が１．０（ｃＮ／％）以下、好ましくは０．７（ｃＮ／％）以下である。
実効伸張率、即ちおむつ配設状態の伸張率（％）から３０％減じた地点で評価する意味は、伸張率（％）に対する立体ギャザーの荷重曲線、すなわち伸張応力を測定する際、それ以上の伸張率では構成部材の伸張荷重が含まれることが多く、ギャザーとしての物性値以上の荷重曲線となりやすく、正味のギャザーの物性ではないためである。
また、おむつ装着時におむつはＵ字形状に湾曲し、その中に配された立体ギャザーはおむつのＵ字形状の外周より小さいＵ字状の軌線となるため、おむつ配設状態の伸張率まで伸張することはほとんどないために、おむつ配設状態の伸張率から減じた地点で評価することは実質的な装着状態での立体ギャザーの挙動を表すには妥当な地点であるといえる。
【００２７】
〔おむつ非固定状態の伸張特性〕
実効伸長率における引張荷重、及び引張荷重増加率は、以下のようにして求められる。
おむつ１から、立体ギャザー（固定端と自由端との間の帯状部分）６を切り出して試験片とし、該試験片を、テンシロン引っ張り試験機〔（株）オリエンテック社製、ＲＴＣ−１１５０Ａ〕のチャック間に固定して長手方向に、速度３００ｍｍ／ｍｉｎ、ロードセル５ｋｇの条件で伸張させ、その伸張過程における伸張率及び対応する引張荷重をプロットして、伸張率及び引張荷重の関係曲線〔横軸；伸長率（％），縦軸；引張荷重（ｃＮ），図７参照〕を得る。
【００２８】
得られた関係曲線から、伸張率が２０％のときと実効伸張率のときの各々の引張荷重の値を読み取る。また、伸張率が２０％から実効伸張率までの関係曲線の勾配、即ち〔引張荷重（実効伸張率時）−引張荷重（２０％時）〕／〔実効伸張率（％）−２０％〕を算出し、その値を、伸張率が２０％から実効伸張率までの間の引張荷重増加率（ｃＮ／％）とする。
尚、試験片は、おむつ長手方向の中央部に位置する部分が含まれるように切り出し、また、自然状態、即ち切り出したギャザーが自然に縮んだ状態で、平らな面を持つ板などの上で、負荷をできるだけかけずにギャザーを平らにした場合の長さが少なくとも７０ｍｍ以上となるように切り出す。好ましくは、おむつ配設状態の伸張率を測定した後のものを使用する。伸張開始時の試験片の初期長（自然状態における長さ，伸張率０％）は５０ｍｍとし、該試験片をおむつに配設された状態における伸張率となるまで伸張させる。
【００２９】
実効伸張率における引張荷重が２０ｃＮ未満であると、装着時に立体ギャザーの先端部の起立性が損なわれ、立位での装着時などで立体ギャザーの先端部を股間部に誘導する際に立体ギャザーが倒れてしまったり、被装着者の肌にあたり折れ曲がってしまったりし、正しく装着することが難しくなる。また、被装着者の姿勢が変化した場合立体ギャザーの先端部が被装着者の肌との間に隙間が生じ排泄物がモレる可能性が大きくなる。たとえ、立体ギャザーの先端部が被装着者の肌に隙間なく接している場合でも、立体ギャザーとしての締め付け力が弱いために、排泄物を立体ギャザー間内に閉じ込めようとする隠蔽力が弱く、ギャザー先端部を押しのけて排泄物が外側に移動する可能性も大きくなり、漏れ防止効果として有効であるとはいえない。
実効伸張率における引張荷重が１２０ｃＮ超であると、おむつを展開する時の力が大きく展開しにくいおむつとなり、寝かせてあお向けで装着する場合などでは装着性が悪くなる。また、装着後のおむつの処理についてもおむつが丸まろうとする力が強いため操作性が悪くなる。また、立位での装着では、ウエストバンド部１０を止着（連結）する前におむつが丸まったりして装着が難しくなる場合がある。
【００３０】
これらは本発明のようにおむつ配設時の伸張率が大きくなると生じる課題であり、展開時に伸張された立体ギャザーが伸張を開放するように縮もうとして生じ、結果的におむつを丸めてしまう現象である。したがって、本発明では引張り荷重をある程度小さくすることで、縮もうとする挙動に対する力を小さくし、縮もうとする現象を遅延させたり、縮んだものを展開するときに必要な力を小さくすることで、装着者の装着性を悪化させないことを達成した。特におむつ配設時の伸張率が同じ条件では伸張応力が支配因子であり、伸張応力が小さいほど伸びやすく、扱いやすいおむつとなる。１２０ｃＮを超えない程度であれば装着者はおむつを展開するときに容易に展開でき、操作性も損なわないといえる。
【００３１】
引張荷重増加率は、装着されたおむつの立体ギャザーが肌へ密着し、漏れを防止しようとする力が装着者の姿勢の変化や様々な装着方法により大きく変わらないため小さい方が好ましい。また、装着時においてもおむつを展開するときに急激な力の変化がなく、展開時に装着者が感じるギャザーの重量感（いわゆる重たさ）がなく、扱いやすいため、寝位・立位ともに装着性が向上できる。
したがって、引張荷重増加率を、伸長率の単位増加量当たりの引張荷重の増加量として計算した場合、引張荷重増加率は、伸長率が０％超から実効伸張率までの総ての地点で１．０（ｃＮ／％）以下であることが好ましい。しかしながら、一部の区間では１．０（ｃＮ／％）超になる場合がある。そのような区間が伸張率０〜２０％程度の部分である場合に、実質的に上述の効果を有するものは本発明の主旨から逸脱するものではない。とはいえこの区間においての引張荷重増加率としての上限は２．０（ｃＮ／％）までであることが好ましい。
このような観点から、本発明では、伸張率が２０％から実効伸張率の間の引張荷重増加率を規定している。
【００３２】
本使い捨ておむつ１は、幼児用の場合には股下部Ｃの最小幅が１００〜２４０ｍｍである。最小幅を１００ｍｍ以上とすることにより、股間部に排泄物を十分に捕集できる幅及び空間を確保することができ、最小幅を２４０ｍｍ未満とすることにより、着用者が立位にて装着する場合（特に自分で装着する場合）において、ウエストバンド部止着（連結）後に、腹側部を股間部を通して着用者の腹側に引き出すこと、更には腹側部を止着位置まで引き上げることが容易である。股下部Ｃの最小幅は１００〜２３０ｍｍ、特に１００〜２１０ｍｍ、とりわけ１２０〜２００ｍｍであることが、立位での装着性向上の観点から好ましい。
一方、成人用の場合には、股下部Ｃの最小幅が１５０〜３００ｍｍであることが同様の理由から好ましく、補助パッドとの併用を考慮すると１８０〜２８０ｍｍ、特に２００〜２７０ｍｍであることが好ましい。
【００３３】
本使い捨ておむつ１は、股下部Ｃの最小幅部分において、一対の前記立体ギャザーの固定端同士間の距離Ｗ１（図２参照）と、一対の前記レッグギャザーの最外側に位置する弾性部材同士間の距離Ｗ２（図２参照）との比（Ｗ１／Ｗ２）が０．６７〜０．８１であり、好ましくは０．６７〜０．７５である。
前記比（Ｗ１／Ｗ２）が０．６７未満であると、股下部の股間幅の最小値を第２発明の範囲とした場合には立体ギャザー間の空間が小さくなり必要な吸収性能が得られない場合があり、前記比（Ｗ１／Ｗ２）が０．８１超であると、立体ギャザーとレッグギャザーとの間のポケットがなくなるので立体ギャザーを越えた排泄物が漏れ出し易くなる。
【００３４】
本使い捨ておむつ１においては、おむつ長手方向の５０ｍｍ以上の長さに亘って、前記比（Ｗ１／Ｗ２）が０．６７〜０．８１の範囲内であることが好ましく、特に、前記比（Ｗ１／Ｗ２）が、股下部の最小幅部分からおむつ長手方向にそれぞれ２５ｍｍ以上の長さに亘って、上記の範囲内であることが好ましい。使い捨ておむつ１における股下部の最小幅部分は、おむつ長手方向の略中央部に存する。
【００３５】
本使い捨ておむつ１は、少なくとも股下部Ｃの最小幅部分において、各立体ギャザー６の固定端６４から各レッグギャザー７の最外側に位置する弾性部材７１までの距離Ｗ３（図２参照）が、該各立体ギャザー６の高さＷ４（図２参照）よりも短い。
前記距離Ｗ３が前記高さＷ４よりも短いと、立位装着容易性と吸収性能を同時に満たすことが特に容易である。そのような観点から、前記距離Ｗ３と前記高さＷ４の比（Ｗ３／Ｗ４）は０．４５〜０．８３が好ましい。
尚、立体ギャザー６の高さＷ４は、固定端６４から自由端６３までの長さを、シート材６２の面に沿って測定する。
【００３６】
本使い捨ておむつ１においては、おむつ長手方向の５０ｍｍ以上の長さに亘って、前記距離Ｗ３が前記高さＷ４よりも短いことが好ましく、特に股下部の最小幅部分からおむつ長手方向にそれぞれ２５ｍｍ以上の長さに亘って、Ｗ３＜Ｗ４の関係が成立することが好ましい。
【００３７】
本使い捨ておむつ１を着用するには、先ず、図４に示すように、着用者３０の背側に背側部Ａを当接させ、両ウエストバンド部１０ａ，１０ｂを着用者３０の腹側にもってくる。そして、一方のウエストバンド部１０ａを、他方のウエストバンド部１０ｂに重ねるようにして、一方のウエストパンド部１０ａの先端部に設けられたバンド止着部１１を、他方のウエストバンド部１０ｂの裏面シート側に係合止着する。そして、腹側部Ｂを着用者３０の股間に沿って腹側に引き上げ、図５に示すように、おむつ止着部２０，２０を、両ウエストバンド部１０，１０それぞれの弾性伸縮部１２上に係合止着する。
本実施形態の使い捨ておむつ１は、着用者３０の腹側に前記背側部Ａを当接させ、両ウエストバンド部１０，１０を着用者３０の背側において止着して装着することもできる。
本実施形態の使い捨ておむつ１は、このようにして容易に装着することができる。
【００３８】
本実施形態の使い捨ておむつ１によれば、下記効果（１）〜（３）が奏される＜効果（１）＞
股下部における吸収体配設領域に低剛性領域Ｒ１を有しており、且つ低モジュラスの立体ギャザー６を高伸張率で配してあるため、寝位での装着のみならず、立位で装着する際にも極めて装着性に優れている。
【００３９】
即ち、従来の展開型使い捨ておむつにおいては、着用者に寝位で装着する場合には、該被装着者の両脚を左右に大きく拡げることができるため、おむつの装着は比較的容易である。しかし、立位で装着する場合には、両脚を大きく拡げるような体位をとらせることは困難であるため、必然的に股間部の幅（両脚間の幅）が狭くなり、その狭い股間部に、沢山の構成部材からなる使い捨ておむつを挿入して装着することになる。これが要因であると推定されるが、立位で装着する場合には、おむつの装着位置が寝位で装着する場合に比べて下方にずれた位置となる場合が殆どであり、装着位置が下方にずれることにより、被装着者の仮想的な腹囲（腹部の周長）が長くなる。従来の使い捨ておむつにおいては、立位と寝位とで被装着者の体型が変化することによる腹囲（腹部の周長）の変化に加えて、このように装着位置のずれによる仮想的な腹囲（腹部の周長）の変化が生じるため、立位における装着は寝位における装着に比べて一層困難であった。
上述の観点から幅方向の剛性を柔らかくしていくと装着性はよくなると考えられるが、そのように配したおむつでは股間部が必要以上にヨレてしまい、モレ易くなってしまう。したがって、幅方向に関して柔らかくしようということは考えにくい。
本実施形態の使い捨ておむつ１によれば、高伸長率低モジュラスギャザーを導入することにより、ギャザーの起立性が上がるのでヨレたとしても空間がしっかり保たれてモレを防止できることから、モレ性能と装着性の向上が同時に実現できる。
したがって、モレ性能を維持しながら、おむつを装着する際に、立位時の狭い股間部におむつがスムーズに入り込み、立位で装着する場合であっても寝位の装着位置と変わらない位置におむつを装着することができるため、立位での装着性を向上させることができる。
【００４０】
本発明における立体ギャザーは、そこに配する弾性部材が全体で、少なくとも伸長率２０％から実効伸長率までの引張り荷重増加率が１．０（ｃＮ／％）以下で、実効伸長率での引張り荷重が２０〜１２０ｃＮとなるものを、不織布製シートに接着固定する方法等によって得ることができる。ここで「全体で」とは、立体ギャザーに複数本弾性部材を配する場合には、「複数本の合計として」という意味である。立体ギャザー用弾性部材としては、糸状のもの（糸ゴム等、好ましくは太さ４５０ｄｔｅｘ以下）、所定幅の帯状のもの（平ゴム等、好ましくは太さと厚みの比が０．１〜１のもの）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。また、弾性部材を複数本立体ギャザーに配する場合には、各弾性部材における少なくとも伸長率２０％から実効伸長率までの引張り荷重増加率が０．５（ｃＮ／％）以下で、実効伸長率での引張り荷重が５〜５０ｃＮのものを使用することが好ましい。
【００４１】
＜効果（２）＞
股下部における吸収体配設領域に低剛性領域Ｒ１を有し、且つ低モジュラスの立体ギャザー６を高伸張率で配してあるため、腹側部Ｂをウエストバンド部から外した状態でおむつから手を離したとしても、おむつが大きく垂れ下がらず、おむつの排泄部対向部位に凹状のポケット形状が維持され易い。そのため、おむつ交換時に便が落下したり、排便又は排尿時におむつの一部が便器内の水や汚物に接触してしまう等の不都合を防止することができる。
【００４２】
＜効果（３）＞
股下部の最小幅を狭くし、前記比（Ｗ１／Ｗ２）を特定の範囲とし、前記距離Ｗ３＜前記高さＷ４とし、且つ低モジュラスの立体ギャザー６を高伸張率で配してあるため、おむつを立位で装着する場合に、おむつ股下部の着用者の狭い股間部（両脚間の空間）におむつがスムーズに入り、また、レッグギャザーも股間に沿い易いので立位での装着性に極めて優れている。しかも、高伸張率で配された低モジュラスの立体ギャザーによって、ギャザーの起立性に優れているため立体ギャザー間の空間が維持されるため、立体ギャザー同士間に、排泄物が充分に保持されると共に、排泄物が立体ギャザーを越えにくくなるので、優れた吸収性能及び漏れ防止性能が得られる。
【００４３】
第２発明のおむつは従来のおむつよりも股下部の幅を狭くしても股間部からの漏れが生じない点に大きな特徴を有している。そもそも、当業者は最も排尿部に近い股下部を狭くしようとは考えないし、その必要性も従来の寝位で装着するおむつにおいては着用中の装着感を高める範囲でのみ若干くびらせていわゆる砂時計状にする程度しかなかった。これに対して、本発明者らは、前記比（Ｗ１／Ｗ２）を特定の範囲とし、前記距離Ｗ３＜前記高さＷ４とし、且つ低モジュラスの立体ギャザー６を高伸張率で配することによって、股下部の幅を狭くしても高い漏れ防止性能を維持できることを見い出し、第２発明をする至ったのである。
【００４４】
上述した使い捨ておむつ１における各部の形成材料について説明する。
表面シート２、裏面シート３、立体ギャザー形成用のシート材６２等の形成材料としては、従来、使い捨ておむつに用いられている各種公知の材料を特に制限なく用いることができる。
吸収体４としては、繊維集合体からなるものや、繊維集合体及び高吸水性ポリマーからなるもの等が用いられる。繊維集合体の形態としては、各種製法による不織布や繊維ウエブが挙げられる。高吸水性ポリマーを用いる場合、そのポリマーの存在態様は、繊維集合体の繊維間隙に分散されて保持されていても良いし、繊維材料からなる不織布や繊維ウエブ間にサンドイッチされて保持されていても良い。尚、繊維集合体、又は繊維集合体及び高吸水性ポリマーからなる吸収体は、台紙や液透過性の不織布からなる柔軟な被覆シートで被覆されていることが好ましい。
立体ギャザー形成用の弾性部材６１、レッグ部弾性部材７１、及びウエスト部弾性部材５１としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
【００４５】
本発明（第１及び第２発明）の展開型の使い捨ておむつは、上述した実施形態に制限されず、各発明の趣旨を逸脱しない範囲で種々変更が可能である。
例えば、第１発明における低剛性領域Ｒ１は、上述した実施形態では、吸収体配設領域における、おむつ長手方向の両側部に形成されていたが、これに代えて図６に示すような態様で形成されていてもよい。即ち図６（ａ）に示すように、吸収体配設領域の中央領域におむつ幅方向にわたって連続的に形成されていてもよいし、図６（ｂ）に示すように、おむつ幅方向に亘って非連続的に形成することもできる。また、図６（ｃ）の如く形成されていても良いし、図６（ｄ）に示すように、股下部の吸収体配設領域の全域が低剛性領域であってもよい。
【００４６】
また、第１及び第２発明における立体ギャザー形成用の弾性部材６１は、各ギャザーにつき複数本配されていても良い。また、レッグ部弾性部材９は、おむつの長手方向の両側に、各１本づつ配されていても良く、また、それぞれ股下部の側縁部に沿って円弧状に配されていても良い。更に、各部の形状や各部材の配設態様等は適宜に変更可能である。
本発明の使い捨ておむつは、成人が自分で装着する場合の装着性に特に優れており、成人用の使い捨ておむつに適しているが、幼児（ベビー）用の使い捨ておむつとすることもできる。
【００４７】
【実施例】
＜実施例１〜４，比較例１，２＞
図１に示す形態の使い捨ておむつを製造した。
製造した各使い捨ておむつの吸収体配設領域の幅（Ｗ１２）、高剛性領域の幅（Ｗ１３）の幅及び曲げ剛性、低剛性領域の幅（Ｗ１１）及び曲げ剛性、おむつ配設状態における立体ギャザーの伸張率、実効伸張率（おむつ配設時の立体ギャザーの伸張率―３０％）、実効伸張率における引張荷重、引張荷重増加率は、それぞれ表１に示す通りであった。
立体ギャザー用の弾性部材としては帯状弾性部材２本を不織布シートに接着固定して配した。
実施例１，２及び比較例２の吸収体は、上述した▲１▼の方法により、幅方向中央部に硬い部分が形成され幅方向両端部（長手方向両側部）に柔軟な部分が形成されたものを用いた。実施例３，４の吸収体は、その全域が一様に柔らかいものを用いた。比較例１の吸収体は、その全域が一様に硬いものを用いた。
図７は、おむつ非固定状態における立体ギャザーの伸張率と引張荷重（引張力）との関係を示すグラフであり、曲線▲１▼は実施例１〜４、曲線▲２▼は比較例１，２に用いた立体ギャザーの伸縮特性を示す曲線である。
【００４８】
尚、実施例１〜４については、前記比（Ｗ１／Ｗ２）が、おむつ長手方向の５０ｍｍ以上の長さに亘って０．６７〜０．８１であり、また、おむつ長手方向の５０ｍｍ以上の長さに亘って前記距離Ｗ３＜前記高さＷ４であった。
【００４９】
【表１】
2004283263.tif 000003
【００５０】
＜性能評価＞
各使い捨ておむつについて、立位装着の容易性及び尿漏れ防止性能を評価した。その結果を表２に示した。
１）立位装着の容易性（装着のし易さの評価）
幼児用モデルに、各使い捨ておむつをそれぞれ装着させ、各おむつの装着容易性の優劣を以下の評価基準で評価した。装着方法は、ウエストバンド部を止着（連結）後に、腹側部を股間部を通してモデルの腹側に引き出し、その腹側部をウエストバンド部に止着する方法とした。表２には、下記の評価基準での判断を記載した。
（評価基準）
○：腹側部を股間部を通して腹側に引き出すこと及びその腹側部をウエストバンド部の高さ位置まで引き上げて止着することの何れも容易である。
×：腹側部を股間部を通して腹側に引き出すこと及びその腹側部をウエストバンド部の高さ位置まで引き上げて止着することの何れかもしくは両方が容易ではない。
【００５１】
２）尿漏れ防止性能（動的股モレ評価法）
腰部モデル（立位で両脚を前後させる歩行運動及び股間部からの人工尿の注入が可能であり、形態的に幼児の腰部を模してあるモデル）に使い捨ておむつを装着し、下記方法で動的股モレ値を測定した。その結果を表２に示した。
股モレ値測定においては、先ず使い捨ておむつを腰部モデルに装着し（腹側先端オヘソ位置）、１５０歩／分の歩行速度で５分間歩行運動させた。その後、歩行運動を停止し、チューブを介しておむつ５ｇ／秒の速度で８０ｇの人工尿を注入し、さらに５分間歩行運動を行なわせた。その後、モデルを横寝にし、５ｇ／秒の速度で４０ｇの人工尿を注入し、４０ｇの注入が終了した時点で漏れていないかを目視にてチェックした。漏れが生じていないものについては、更に４０ｇの人工尿の注入を行ない、この様な操作を漏れるまで繰り返した。そして尿の漏れが観察された時点における人工尿の合計注入量を動的股モレ値とした。
【００５２】
【表２】
2004283263.tif 000004
【００５３】
＜実施例１＞
実施例１の使い捨ておむつの股下部の最小幅部分における、一対の前記立体ギャザーの固定端同士間の距離Ｗ１と一対の前記レッグギャザーの最外側に位置する弾性部材同士間の距離Ｗ２との比（Ｗ１／Ｗ２）、各立体ギャザーの固定端から前記各レッグギャザーの最外側に位置する弾性部材までの距離Ｗ３、各立体ギャザーの高さＷ４を表３に示した。
＜比較例３，参考例１＞
実施例１の各部の寸法を表３に示す通り代える共に図７の曲線▲２▼の伸縮特性を有する立体ギャザーを用いた以外は、実施例１のおむつと同じ構成の使い捨ておむつを作成した（比較例３）。また、実施例１のおむつの各部の寸法を表３に示す通りに代えた以外は、実施例１のおむつと同じ構成を有する使い捨ておむつを作成した（参考例１）。
【００５４】
【表３】
2004283263.tif 000005
【００５５】
実施例１、比較例３及び参考例１の各使い捨ておむつについて、下記方法及び評価基準により軟便空間保持性を評価し、その結果を表３に併せて示した。
３）軟便空間保持性（軟便移動性の評価）
腹側装着により幼児姿勢可変モデル（立位での歩行・座位での脚の開閉・立→座位の姿勢変化運動及び股間部からの人工尿・人工便の注入が可能であり、形態的に幼児の腰部を模してあるモデル）におむつを装着し、下記方法で軟便移動性能評価を行った。
測定方法は、先ず使い捨ておむつを上記のモデルに装着し（おむつの腹側先端をオヘソの位置に合わせた）、１５０歩／分の歩行速度で５分間歩行運動させた（立位）。その後、歩行運動を停止し、チューブを介しておむつ５ｇ／秒の速度で８０ｇの人工尿を注入し、さらに５分間歩行運動を行なわせた。その後、モデルを座らせ脚を開いた状態で１６０ｇの人工便を１０ｇ／秒の速度で注入し、歩行・立位→座位の姿勢変化・座位での脚の開閉の活動を５分間繰り返し行なった。紙おむつを開閉し便の移動状態を観察した。
（評価基準）
人工便が立体ギャザーを越えていた場合は×、越えていなかった場合は○とした。
【００５６】
【発明の効果】
本発明（第１、第２発明）の使い捨ておむつは、左右のウェストバンド部を着用者の腹側又は背側において止着して装着するタイプの展開型の使い捨ておむつであり、寝位及び立位での装着性に優れており、しかも吸収性能及び漏れ防止性能に優れている。
【図面の簡単な説明】
【図１】図１は、本発明（第１，第２発明）の一実施形態としての使い捨ておむつを、各部の弾性部材を伸張させ平面状に拡げた状態（緊張状態）を示す平面図である。
【図２】図２は、図１の使い捨ておむつの股下部の最小幅部分における断面（図１のＸ−Ｘ線断面）を示す模式断面図である。
【図３】図３は、吸収体配設領域及び該領域中の低剛性領域の配置を示す模式平面図である。
【図４】図４は、図１の使い捨ておむつを装着する途中の状態（ウエストバンド部を腹側において止着した状態）を示す図である。
【図５】図５は、図１の使い捨ておむつを装着した状態を示す図である。
【図６】図６は、本発明の他の実施形態としての使い捨ておむつの要部を示す図である。
【図７】図７は、おむつ非固定状態における立体ギャザーの伸張率と引張荷重（引張力）との関係を示すグラフである。
【符号の説明】
１  使い捨ておむつ
２  表面シート
３  裏面シート
４  吸収体
６    立体ギャザー
６１  立体ギャザー形成用の弾性部材
７    レッグギャザー
７１  レッグ部弾性部材
１０  ウエストバンド部
１１  バンド止着部
２０  おむつ止着部
Ａ  背側部
Ｂ  腹側部
Ｃ  股下部
【図１】
2004283263.tif 000006
【図２】
2004283263.tif 000007
【図３】
2004283263.tif 000008
【図４】
2004283263.tif 000009
【図５】
2004283263.tif 000010
【図６】
2004283263.tif 000011
【図７】
2004283263.tif 000012
【手続補正書】
【提出日】平成16年3月11日(2004.3.11)
【手続補正１】
【補正対象書類名】明細書
【補正対象項目名】００３７
【補正方法】変更
【補正の内容】
【００３７】
本使い捨ておむつ１を着用するには、先ず、図４に示すように、着用者３０の背側に背側部Ａを当接させ、両ウエストバンド部１０ａ，１０ｂを着用者３０の腹側にもってくる。そして、一方のウエストバンド部１０ａを、他方のウエストバンド部１０ｂに重ねるようにして、一方のウエストパンド部１０ａの先端部に設けられたバンド止着部１１を、他方のウエストバンド部１０ｂの裏面シート側に係合止着する。そして、腹側部Ｂを着用者３０の股間に沿って腹側に引き上げ、図５に示すように、おむつ止着部２０，２０を、両ウエストバンド部１０，１０それぞれの弾性伸縮部１４上に係合止着する。
本実施形態の使い捨ておむつ１は、着用者３０の腹側に前記背側部Ａを当接させ、両ウエストバンド部１０，１０を着用者３０の背側において止着して装着することもできる。
本実施形態の使い捨ておむつ１は、このようにして容易に装着することができる。


【手続補正２】
【補正対象書類名】明細書
【補正対象項目名】００４６
【補正方法】変更
【補正の内容】
【００４６】
また、第１及び第２発明における立体ギャザー形成用の弾性部材６１は、各ギャザーにつき複数本配されていても良い。また、レッグ部弾性部材７１は、おむつの長手方向の両側に、各１本づつ配されていても良く、また、それぞれ股下部の側縁部に沿って円弧状に配されていても良い。更に、各部の形状や各部材の配設態様等は適宜に変更可能である。
本発明の使い捨ておむつは、成人が自分で装着する場合の装着性に特に優れており、成人用の使い捨ておむつに適しているが、幼児（ベビー）用の使い捨ておむつとすることもできる。


【手続補正３】
【補正対象書類名】明細書
【補正対象項目名】００４９
【補正方法】変更
【補正の内容】
【００４９】
【表１】
2004283263.tif 000013